(57)【要約】      （修正有）【課題】構造が簡単で小型化され、悪戯を受けにくいが操作方法が分かっていると簡単に開閉可能な扉ロック機構を備えた火災表示盤を提供する。【解決手段】火災表示盤は、前方に開口した箱形の盤本体と、盤本体の開口側端に対し水平周りに開閉自在に装着され、扉面に複数の地区表示灯を配置した扉１２とを備え、火災受信機から火災情報を受信して火災発生地区を表示する。扉ロック機構は、ロック位置でノブ１５を扉面の円筒穴５０に埋没し、ノブ１５のロック解除位置への回動でバネ部材により扉面からノブ１５を飛び出して把持可能とする。【選択図】図７
0003147225.tif 000002
【実用新案登録請求の範囲】
【請求項１】
前方に開口した箱形の盤本体と、前記盤本体の開口側端に対し水平周りに開閉自在に装着され、扉面に複数の地区表示灯を配置した扉とを備え、火災受信機から火災情報を受信して火災発生地区を表示する火災表示盤に於いて、
前記扉側に設けられ、ロック位置でノブを扉面に埋没し、ロック解除位置への回動で前記盤面から前記ノブを飛び出して把持可能とする扉ロック機構を設けたことを特徴とする火災表示盤。
【請求項２】
請求項１記載の火災表示盤に於いて、前記扉ロック機構は、
前記扉面に開口する円筒穴に続いて前記円筒穴の底部に扉裏面に貫通すると通し穴を形成したノブ収納部と、
前記円筒穴に挿入されて摺動自在な頭部ノブに続いて前記通し穴に挿入されて収納自在な軸部を形成したノブ部材と、
前記ノブ部材の頭部ノブと前記円筒穴底部との間に介在されて前記ノブ部材を外側に付勢するバネ部材と、
前記通し穴を貫通して扉裏面に突出した前記ノブ部材の先端に固定されたレバー部材と、
前記ノブ部材を押込んでロック位置に回した時に、前記レバー部材の支持により前記ノブ部材を押込み位置に保持し、前記ノブ部材をロック解除位置に回した時に、前記レバー部材の支持を解除して前記バネ部材により前記ノブ部材を扉面から突出させる扉裏面に形勢された位置決めガイド部材と、
を備えたことを特徴とする火災表示盤。
【考案の詳細な説明】
【技術分野】
【０００１】
本考案は、火災受信機から火災情報を受信して火災発生地区を表示する火災表示盤に関する。
【背景技術】
【０００２】
従来、Ｐ型の火災報知設備にあっては、火災受信機から警戒地区毎に分けて引き出された感知回線に複数のオンオフ型の火災感知器を接続し、火災を検出して火災感知器が発報すると、感知器回線に発報電流を流し、この発報電流を火災受信機で受信して火災警報を行っている。
【０００３】
また火災受信機には、複数の感知器回線に対応して複数の地区表示灯が設けられており、火災警報時に発報電流を受信した感知回線で特定される地区表示灯を点灯して火災発生地区を表示している。
【０００４】
一方、このような火災報知設備にあっては、火災受信機は例えば建物一階の管理人室などに設置されており、別の階では火災受信機の警報表示がわからないことから、必要に応じて火災受信機の表示を移報表示させるため副受信機として知られた火災表示盤を設置し、火災受信機から火災情報を受信して地区表示灯の点灯や音響警報を行うことを可能にしている。
【０００５】
図１０は従来の火災表示盤１００であり、図１０（Ａ）に正面図を、図１０（Ｂ）に底面図を示す。火災表示盤１００は、箱形に開口した盤本体１０１に扉１０２をヒンジ１０４により開閉自在に設けており、また扉ロック機構として、扉１０２の開放端側にノブ１０６が設けられる。ノブ１０６はマイナス溝を頭部に備えたネジであり、ネジを盤本体側にネジ込むことで閉鎖ロックし、ネジを緩めることでロックを解除して開放することができる。
【０００６】
また扉１０２の扉面には１０箇所に分けて地区表示窓１１２が設けられ、この例では３０回線対応の地区表示を例にとっていることから、上側６箇所の地区表示窓１１２に５個ずつ地区表示灯１１４を配置し、合計３０個の地区表示灯１１４を配置している。
【特許文献１】特開２０００−１６３６６４号公報
【特許文献２】特開平８−１８０２７０号公報
【考案の開示】
【考案が解決しようとする課題】
【０００７】
しかしながら、このような従来の副受信機として利用される火災表示盤にあっては、板金加工により盤本体及び扉を製造していたが、近年にあっては、外観デザインや製造組立性に優れたプラスチック製の盤本体と扉を使用しており、このようなプラスチック製の扉の場合には従来のネジ式のノブ１０６を設けることは取付け強度が不足し、ノブ自体も大きく、コスト面でも高価になるという問題がある。
【０００８】
また従来のノブ１０６は外部に飛び出していることから、ネジをきつく締めていても、硬貨などを使用すると簡単に緩めることができ、悪戯などにより開けられてしまうという問題もある。
【０００９】
本考案は、構造が簡単で小型化され、悪戯を受けにくいが、操作方法が分かっていると簡単に開閉可能な扉ロック機構を備えた火災表示盤を提供することを目的とする。
【課題を解決するための手段】
【００１０】
本考案は、前方に開口した箱形の盤本体と、盤本体の開口側端に対し水平周りに開閉自在に装着され、扉面に複数の地区表示灯を配置した扉とを備え、火災受信機から火災情報を受信して火災発生地区を表示する火災表示盤に於いて、
扉側に設けられ、ロック位置でノブを扉面に埋没し、ノブのロック解除位置への回動で扉面からノブを飛び出して把持可能とする扉ロック機構を設けたことを特徴とする。
【００１１】
ここで、扉ロック機構は、
扉面に開口する円筒穴に続いて円筒穴の底部に扉裏面に貫通すると通し穴を形成したノブ収納部と、
円筒穴に挿入されて摺動自在な頭部ノブに続いて通し穴に挿入されて収納自在な軸部を形成したノブ部材と、
ノブ部材の頭部ノブと円筒穴底部との間に介在されてノブ部材を外側に付勢するバネ部材と、
通し穴を貫通して扉裏面に突出したノブ部材の先端に固定されたレバー部材と、
ノブ部材を押込んでロック位置に回した時に、レバー部材の支持によりノブ部材を押込み位置に保持し、ノブ部材をロック解除位置に回した時に、レバー部材の支持を解除してバネ部材によりノブ部材を扉面から突出させる扉裏面に形勢された位置決めガイド部材と、
を備える。
【考案の効果】
【００１２】
本考案によれば、ロック位置でノブが扉面に埋没しており、ノブをロック解除位置に操作すると、ノブが扉面から飛び出し、飛び出したノブを持って容易に扉を開閉することができる。
【００１３】
また、扉のロック位置でノブが扉面に埋没していることから、従来の扉面にノブとしてネジ頭部が飛び出している場合に比べ、悪戯による操作が行われにくい。またロック位置でノブを扉面に埋没していても、ロック解除位置に操作すると扉面からノブが飛び出し、飛び出したノブをもって容易に開閉操作ができる。
【考案を実施するための最良の形態】
【００１４】
図1は本考案による火災表示盤の実施形態を示した説明図である。図1において、副受信機として利用される火災表示盤１０は、下側に配置している前面に開口した盤本体の前に扉１２を開閉自在に配置している。
【００１５】
扉１２は、右側上下に配置している後の説明で明らかにする着脱軸受部材３８と固定軸受部材３６に対し回動自在に支持されている。また扉１２の左側には、ノブ１５が扉面に対し埋込状態で設けられており、ノブ１５を回すことで盤本体側とのラッチを解除して扉１２を開くことができる。
【００１６】
扉１２の表面は表示領域として使用されており、扉面の下側に４つの地区窓スペース１６に分けた地区表示スペースが設けられ、この実施形態にあっては、火災表示盤１０に火災情報を移報する火災受信機の収容回線が５回線の場合を例にとることから、４つの地区窓スペース１６の例えば左上の地区窓表示スペース１６に、火災受信機に収容している５回線に対応した地区表示灯１８を５つ設けており、地区表示灯１８のそれぞれに対しては右側に地区名表示部２０が設けられている。
【００１７】
地区窓スペース１６の右側には操作表示部が設けられ、ここには内部に収納したブザーからの警報音を出力する音響孔２２、音響停止スイッチ２４、火災を検出した感知器番号を表示する２つの番号表示器２６、更に番号表示器２６にそれ以上の火災を検出した感知器がある場合の番号をシフト表示するシフトスイッチ２８が設けられている。
【００１８】
更に本実施形態にあっては、扉１２の表面下側の地区表示スペースに対し、上半分の領域を多目的表示スペース３０としている。
【００１９】
ここで本実施形態の火災表示盤１０は、火災受信機における最小５回線から最大５０回線に対応した地区表示を可能としており、回線数が２０回線未満については、上半分を多目的表示スペース３０とした扉１２を使用するようにしている。
【００２０】
このような５回線から２０回線に対応した火災表示盤１０については、盤本体側については共通である。また扉１２については、同じ構造の扉であるが、５，１０，１５，２０回線に対応した表示窓スペース１６に、表示灯枠を印刷したシールを準備して張り付けるようにしている。また、透明カバーシートを装着することで、地区名称を印刷した紙などを挟んで掲示することが出来る。
【００２１】
扉１２の上半分に設けた多目的表示スペース３０には透明カバーシートが着脱自在に設けられており、この透明カバーシートを装着することで、間に適宜の情報を表示したペーパーを挟んで掲示することができる。多目的表示スペース３０にセットする表示シートとしては、警戒区域図、火災時の対処方法、取扱い説明など、主に火災報知設備に関連した情報であるが、必ずしもこれに限定せず、その一部または全部を使用して、お知らせといった掲示板的な使用も可能である。
【００２２】
図２は本考案による火災表示盤の扉を開いた状態で盤本体及び扉の内側を示した組立分解図である。
【００２３】
図２において、扉１２は金型を使用した射出成型で作成されたプラスチック製の部材であり、内側から見て左側の上下コーナー部に矩形切欠部３２を形成しており、矩形切欠部３２における上下の端部から軸部材３４を一体に突出している。
【００２４】
また、扉１２の内側には回路基板４０が配置され、ここにはブザーや警報停止スイッチが実装されている。回路基板４３の上にはシフトスイッチ２８が設けられ、その上に２つの数字表示器２６を設けている。また回路基板４０の右側には回路基板４２が２つ設けられ、ここに表面側の地区表示スペースの使用領域に対応して５つ単位に地区表示灯として使用するＬＥＤ及びこの駆動回路が実装されている。
【００２５】
盤本体１４は前方に開口した箱型の部材であり、扉１２と同様、金型を使用した射出成型により作られるプラスチック製の部材である。盤本体１４の扉１２の下側の矩形切欠部３２に相対する位置には、固定軸受部材３６が一体に形成されている。固定軸受部材３６は、上側の端面に扉１２の下側の軸部材３４を挿入する軸穴を開口している。一方、盤本体１４における扉１２の上側の矩形切欠部３２に相対する位置に対しては、着脱軸受部材３８を着脱自在に装着する嵌合構造が設けられている。
【００２６】
このため、扉１２を盤本体１４に装着する際には、まず盤本体１４の下側の固定軸受部材３６の軸穴に盤本体１４の下側の軸部材３４を嵌め入れ、この状態で上側に位置する扉１２の軸部材３４に対し着脱軸受部材３８を上側から嵌め入れて固定することで、盤本体１４に対し扉１２を開閉自在に装着することができる。
【００２７】
また盤本体１４の内部にはコネクタ４４が設けられており、コネクタ４４は信号線４６により、扉１２側の地区表示灯を実装している回路基板４２に接続されている。
【００２８】
扉１２のノブの裏側にはレバー部材７２が取り付けられ、ノブを押込んで９０°回すと、盤本体１４側に設けたレバー係止部７６にレバー部材７２の先端が係合して扉１２をロック状態とする。
【００２９】
図３は本考案による扉ロック機構の実施形態を示した組立分解図である。図３において、本実施形態の扉ロック機構４８は、扉１２の扉面側に開口して円筒穴５０を形成し、円筒穴５０の底部に裏側に貫通する通し穴５２を形成している。円筒穴５０及び通し穴５２に対しては、コイルバネを用いたバネ部材６４を間に介してノブ１５が挿入される。
【００３０】
ノブ１５は、ノブ頭部５４、ノブ軸部５６及びレバー取付部６０で構成されている。ノブ頭部５４の表面には、マイナスドライバや硬貨を入れて回すためのマイナス溝５８が形成される。ノブ頭部５４の外径は扉１２の円筒穴５０に収納できるサイズである。ノブ軸部５６は扉１２の通し穴５２に挿入される。レバー取付部６０の先端に開口して軸方向にネジ穴６２が形成されている。
【００３１】
扉１２の裏面側には位置決めガイド部６６が形成されている。位置決めガイド部６６には、通し穴５２の開口部を挟んで両側に、ガイド壁６８，７０を一体に突出形成している。
【００３２】
通し穴５２を介して内側に挿入したノブ１５の先端のレバー取付部６０に対してはレバー部材７２が嵌合され、ネジ穴６２に対するネジ７４の締付けにより固定されている。
【００３３】
図４は本実施形態による扉ロック機構のロック状態とロック解除状態を示した断面図である。図４（Ａ）はロック状態であり、ノブ１５のノブ軸部５６の先端となる扉１２の内側でネジ７４により固定したレバー部材７２は、その両側に位置するガイド壁６８，７０の部分に乗り上げている。これによってノブ軸部５６に嵌め入れている図３に示すバネ部材６４を圧縮した状態でノブ頭部５４を円筒穴５０の中に収納し、ノブ頭部５４の表面を扉１２の扉面と同じ位置にしている。
【００３４】
図４（Ｂ）はロック解除状態であり、図４（Ａ）に示すロック状態からノブ１５を９０°回すことで、レバー部材７２が両側で支持していたガイド壁６８，７０から外れて、その間に入り、バネ部材６４の力によりノブ１５が押し上げられ、円筒穴５０からノブ頭部５４を外部に飛び出させている。
【００３５】
図５は本実施形態における扉ロック機構のロック状態を扉内側から示している。図５において、扉ロック機構は扉１２側からノブ軸部５６の先端が扉内側に突出し、この先端にネジ７４によりレバー部材７２を固定している。
【００３６】
レバー部材７２はロック状態で図示のガイド壁６８に直交する位置にあり、レバー部材７２の右側を図２に示した盤本体１４のレバー係止部７６に嵌合してロック状態としておる。このときレバー部材７２はガイド壁６８と反対側のガイド壁７０（図４参照）に乗り上げていることで、バネを圧縮して、図４（Ａ）のようにノブ頭部５４を扉１２の円筒穴５０に埋込み収納した状態としている。
【００３７】
図６は本実施形態における扉ロック機構のロック解除状態を扉内側から示した説明図である。図６のロック解除状態は、図５に示すロック状態にあるレバー部材７２をノブにより左回りに９０°回すと、両側のガイド壁６８，７０の支持状態が外れて、図示のようにその間に入り込み、扉表側に配置しているコイルバネの力で、図４（Ｂ）のように、ノブ１５のノブ頭部５４を扉面から突出させる。
【００３８】
図７は本実施形態による扉ロック機構のロック解除状態を扉外側から示した説明図である。図６のような扉内側におけるロック解除状態により、図７の扉１２の表側にあっては、ノブ頭部５４が円筒穴５０からバネ部材６４の力により飛び出し、これによって、ノブ頭部５４を指で掴んで扉１２を開閉操作することができる。
【００３９】
また図７のロック解除状態からロック状態にする際には、ノブ頭部５４のマイナス溝５８に硬貨などを入れてノブ１５を円筒穴５０の中に押し込み、この押込み状態でノブ１５を９０°回すと、図５に示すレバー部材７２がガイド壁６８，７０に乗り上げて支持され、且つレバー部材７２の先端が盤本体側のレバー係止部７６に嵌合するロック状態が得られる。
【００４０】
図８は本考案による火災表示盤の埋込設置を示した説明図である。図８（Ａ）は運用中の設置状態であり、廊下の壁面などに形成された埋込穴７８に対し、本実施形態の火災表示盤１０が埋込設置されている。
【００４１】
火災表示盤１０は盤本体１４の前面に扉１２を開閉自在に装着しており、扉１２は図４（Ａ）に示す扉ロック機構４８のロック状態で扉１２を閉止している。このとき扉１２の扉面にはノブ１５は突出せずに扉内に埋設されており、一見してノブ１５によるロックの解除の仕方は分かり難く、これによって、悪戯などによりロックが解除されてしまうことを未然に防止できる。
【００４２】
また本実施形態にあっては、図２に示したように、盤本体１４の下側の固定軸受部３６と上側の着脱軸受部３８によって、扉１２の矩形切欠部３２の上下に設けた軸部材３４を回動自在に嵌め入れており、したがって図１０に示した従来の火災表示盤のようにヒンジ１０４が外部に突出しておらず、これによって盤本体１４及び扉１２を含む火災表示盤１０全体を埋込穴７８の中に完全に埋設設置することができる。
【００４３】
図８（Ｂ）は点検などの際に扉１２を開けた状態であり、このときには図７に示すように、扉１２の円筒穴５０に埋設状態でロックしているノブ頭部５４を９０°回すことでロックを解除して突出させ、突出したノブ１５を持って扉１２を容易に開くことができる。このようにノブ１５がロック解除で扉１２の外側に飛び出すことから、図８（Ａ）のような完全埋込設置状態にあっても、ロック解除された扉１２をノブ１５を持って容易に開閉することができる。
【００４４】
図９は本考案による火災表示盤の他の実施形態を示した説明図であり、この実施形態にあっては最小５回線から最大５０回線に対応した地区表示を行うようにしている。即ち図１の実施形態にあっては、５つの地区表示灯１８を配置可能な地区窓スペース１６を４つ設けており、したがって５回線、１０回線、１５回線、２０回線に対応する扉構造であるが、図９の実施形態にあっては、図１の実施形態における多目的表示スペース３０を設けずに、ここに６つの地区窓スペース１６を配置し、これによって最大５０回線の地区表示を可能としている。この図９の実施形態にあっても、扉１２のノブ１５は、図１の実施形態と同様、図３〜図７に示した扉ロック機構４８を同様に備えている。
【００４５】
ここで図１の多目的表示スペースを持つ扉１２の構造と、図９の多目的表示スペースを持たない扉１２の構造については、多目的表示スペース３０の部分を入れ子式の金型とした同一の金型を使用して、プラスチックの射出成型により製造することができる。
【００４６】
また、図１及び図９の火災表示盤における地区窓スペース１６の使用スペースについては、地区表示灯１８及び地区名表示部２０に対応した表示枠を印刷したシールを貼り付け、これに対応した扉内側に、例えば図２に示したように回路基板４２を実装することで実現できる。
【００４７】
即ち地区表示灯１８のシールを貼り付ける部分は、回路基板４２に実装されたＬＥＤの光を透過可能な十分に薄い構造であり、この薄い部分を通して外部からＬＥＤによる光が見えるようにしている。
【００４８】
なお本考案は、その目的と利点を損なうことのない適宜の変形を含み、更に上記の実施形態に示した数値による限定は受けない。
【図面の簡単な説明】
【００４９】
【図１】本考案による火災表示盤の実施形態を示した説明図
【図２】本考案による火災表示盤の扉を開いて内部を示した組立分解図
【図３】本考案による扉ロック機構の実施形態を示した組立分解図
【図４】本実施形態による扉ロック機構のロック状態とロック解除状態を示した断面図
【図５】本実施形態による扉ロック機構のロック状態を扉内側から示した説明図
【図６】本実施形態による扉ロック機構のロック解除状態を扉内側から示した説明図
【図７】本実施形態による扉ロック機構のロック解除状態を扉外側から示した説明図
【図８】本考案による火災表示盤の埋込設置を示した説明図
【図９】最小５回線から最大５０回線に対応した本考案による火災表示盤を示した説明図
【図１０】従来の火災表示盤を示した説明図
【符号の説明】
【００５０】
１０：火災表示盤
１２：扉
１４：盤本体
１５：ノブ
１６：地区窓スペース
１８：地区表示灯
２０：地区名表示部
２２：音響孔
２４：音響停止スイッチ
２６：番号表示器
２８：シフトスイッチ
３０：多目的表示スペース
３２：矩形切欠部
３４：軸部材
３６：固定軸受部材
３８：着脱軸受部材
４０，４２：回路基板
４４：コネクタ
４６：信号線
４８：軸穴
５０：円筒穴
５２：通し穴
５４：ノブ頭部
５６：ノブ軸部
５８：マイナス溝
６０：レバー取付部
６２：ネジ穴
６４：バネ部材
６６：位置決めガイド部
６８，７０：ガイド壁
７２：レバー部材
７４：ネジ
７６：レバー係止部
７８：埋込穴
【図１】
0003147225.tif 000003
【図２】
0003147225.tif 000004
【図３】
0003147225.tif 000005
【図４】
0003147225.tif 000006
【図５】
0003147225.tif 000007
【図６】
0003147225.tif 000008
【図７】
0003147225.tif 000009
【図８】
0003147225.tif 000010
【図９】
0003147225.tif 000011
【図１０】
0003147225.tif 000012